(57)【特許請求の範囲】
【請求項１】
ユーザの管理下にない携帯通信機（１）の所在位置の通知を行うサーバ（３、５）と通信可能なユーザ側通信端末であって、
前記携帯通信機と無線通信可能であり、かつ、それぞれの通信可能エリアが異なる複数のインフラ側通信機（２ａ、２ｂ、２ｃ）のうち第１のインフラ側通信機（２ａ）が、当該第１のインフラ側通信機（２ａ）の通信可能エリア内の前記携帯通信機から、当該携帯通信機がユーザの管理下にない旨の情報および当該携帯通信機を特定する情報を含む忘れ物状態データを受信し、更に、受信した当該忘れ物状態データに当該第１のインフラ側通信機（２ａ）の所在位置情報を含めて前記サーバに送信し、前記サーバが、前記第１のインフラ側通信機（２ａ）から送信された前記忘れ物状態データを受信したことに基づいて、当該忘れ物状態データに含まれる前記第１のインフラ側通信機の所在位置情報を、当該忘れ物状態データにおいて特定されている前記携帯通信機の所在位置として、前記ユーザ側通信端末に通知した場合、前記サーバから前記携帯通信機の所在位置情報を受信して記録する受信記録手段（１２５、１４４）と、
自機へのユーザの接近を検出する接近検出手段（４１０）と、
前記接近検出手段の検出に基づいて、前記受信記録手段が記録した所在位置情報をユーザに表示する表示手段（４３０）と、を備えたユーザ側通信端末。
【請求項２】
当該ユーザ側通信端末は、ユーザ検知装置（４１）が搭載された車両内に設置され、
車外通信部（８１）と、
前記受信記録手段、前記接近検出手段、および前記表示手段を有する制御部（８６）とを備え、
前記車外通信部は、前記忘れ物状態データを受信した場合、前記制御部を起動させ、それによって起動した前記制御部において、前記受信記録手段が前記車外通信部から前記忘れ物状態データを取得し、取得した前記忘れ物状態データを記録し、その記録後、前記制御部（８６）への電力供給がオフになり、
前記ユーザ側通信端末にユーザが接近すると、前記ユーザ検知装置（４１）がそれを検出して前記制御部を起動させると共に前記制御部に接近信号を出力し、それによって起動した前記制御部において、前記接近検出手段は、前記接近信号に基づいて、自機へのユーザの接近を検出し、前記表示手段は、前記接近検出手段の検出に基づいて、前記受信記録手段が記録した前記所在位置情報をユーザに表示することを特徴とする請求項１に記載のユーザ側通信端末。
【請求項３】
前記表示手段は、前記第１のインフラ側通信機（２ａ）が所在する店舗内における、前記携帯通信機の存在エリアと、受付用の係員がいる受付エリアとをユーザに表示することを特徴とする請求項１または２に記載のユーザ側通信端末。
【請求項４】
前記制御部は、前記店舗への経路を案内する手段（４６０）を有することを特徴とする請求項１ないし３のいずれか１つに記載のユーザ側通信端末。
【発明の詳細な説明】
【技術分野】
【０００１】
本発明は、ユーザ側通信端末に関する。
【背景技術】
【０００２】
携帯電話機等の携帯通信機をどこかに置き忘れてしまうと、その携帯通信機の所在を特定することは非常に難しくなる。このような問題に対して、特許文献１には、レストラン、居酒屋、ホテル、旅館、遊園地等のホットスポットと呼ばれる場所に無線局を設置することで、それらの場所に携帯電話機を置き忘れても、ユーザは置き忘れた場所を特定することができる旨の記載がある。
【特許文献１】特開２００３−３４８６５９号公報
【発明の開示】
【発明が解決しようとする課題】
【０００３】
しかし、特許文献１の記載では、無線局と携帯電話機が通信することはわかるものの、携帯電話機の位置をどのようにして特定することができるかについては記載されていない。
【０００４】
本発明は上記点に鑑み、携帯通信機と通信可能な無線局が設置されている場合に、その無線局を利用して、置き忘れた携帯通信機の位置を特定することのできる技術を提供することを目的とする。
【課題を解決するための手段】
【０００５】
上記目的を達成するための請求項１に記載の発明は、ユーザの管理下にない携帯通信機（１）の所在位置の通知を行うサーバ（３、５）と通信可能なユーザ側通信端末についてのものである。
【０００６】
前記携帯通信機と無線通信可能であり、かつ、それぞれの通信可能エリアが異なる複数のインフラ側通信機（２ａ、２ｂ、２ｃ）のうち第１のインフラ側通信機（２ａ）が、当該第１のインフラ側通信機（２ａ）の通信可能エリア内の前記携帯通信機から、当該携帯通信機がユーザの管理下にない旨の情報および当該携帯通信機を特定する情報を含む忘れ物状態データを受信し、更に、受信した当該忘れ物状態データに当該第１のインフラ側通信機（２ａ）の所在位置情報を含めてサーバに送信する。
【０００７】
また、サーバは、第１のインフラ側通信機（２ａ）から送信された忘れ物状態データを受信したことに基づいて、当該忘れ物状態データに含まれる第１のインフラ側通信機の所在位置情報を、当該忘れ物状態データにおいて特定されている携帯通信機の所在位置として、ユーザ側通信端末に通知する。
【０００８】
このように、通信可能エリアがそれぞれ異なる複数のインフラ側通信機のうち、携帯通信機と通信している第１のインフラ側通信機の所在位置を、当該携帯通信機の所在位置であるとみなすことで、第１のインフラ側通信機の通信可能エリアの大きさ程度の正確さで、当該携帯通信機の所在を特定することができる。
【０００９】
なお、ここでいう「通知」は、通知相手を限定する通知（例えば、電子メールアドレスを限定した送信）、および通知相手を限定しない通知（例えばＷＥＢサービスとしての通知）の両方を含む概念である。また、第１のインフラ側通信機からサーバへの忘れ物状態データの送信は、直接的なものであってもよいし、他の通信装置を媒介した間接的なものであってもよい。
【００１０】
また、インフラ側通信機の所在位置情報は、当該インフラ側通信機の所在位置情報がわかるような情報であればどのようなものでもよい。例えば、当該インフラ側通信機の通信可能エリアであってもよい。また例えば、当該インフラ側通信機の所在位置が固定されており、インフラ側通信機と所在位置との対応関係がわかっている場合には、当該インフラ側通信機を特定する情報（例えば識別コード、携帯電話番号）も、所在位置情報たり得る。
【００２５】
また、ユーザ側通信端末が、サーバから、携帯通信機の所在位置情報を受信して記録するようになっていてもよい。この場合、ユーザ側通信端末は、自機へのユーザの接近を検出し、その検出に基づいて、記録した所在位置情報をユーザに表示するようになっていてもよい。
【００２６】
このようになっていることで、ユーザがユーザ側通信端末の付近にいないときに、携帯通信機の所在位置情報をサーバから受信して記録した場合でも、ユーザがユーザ側通信端末に近づいたときに、自動的にその所在位置情報がユーザに通知されるので、ユーザが携帯通信機の置き忘れに気付いていないときには、置き忘れた位置のみならず、その置き忘れ自体にいち早く気付かせることができる。
【００２７】
また、請求項２に記載のように、請求項１に記載の発明において、当該ユーザ側通信端末は、ユーザ検知装置（４１）が搭載された車両内に設置され、車外通信部（８１）と、前記受信記録手段、前記接近検出手段、および前記表示手段を有する制御部（８６）とを備え、前記車外通信部は、前記忘れ物状態データを受信した場合、前記制御部を起動させ、それによって起動した前記制御部において、前記受信記録手段が前記車外通信部から前記忘れ物状態データを取得し、取得した前記忘れ物状態データを記録し、その記録後、前記制御部（８６）への電力供給がオフになり、前記ユーザ側通信端末にユーザが接近すると、前記ユーザ検知装置（４１）がそれを検出して前記制御部を起動させると共に前記制御部に接近信号を出力し、それによって起動した前記制御部において、前記接近検出手段は、前記接近信号に基づいて、自機へのユーザの接近を検出し、前記表示手段は、前記接近検出手段の検出に基づいて、前記受信記録手段が記録した前記所在位置情報をユーザに表示するようになっていてもよい。
また、請求項３に記載のように、請求項１または２に記載のユーザ側通信端末において、前記表示手段は、前記第１のインフラ側通信機（２ａ）が所在する店舗内における、前記携帯通信機の存在エリアと、受付用の係員がいる受付エリアとをユーザに表示するようになっていてもよい。
また、請求項４に記載のように、請求項１ないし３のいずれか１つに記載のユーザ側通信端末において、前記制御部は、前記店舗への経路を案内する手段（４６０）を有するようになっていてもよい。
【００２８】
なお、上記および特許請求の範囲における括弧内の符号は、特許請求の範囲に記載された用語と後述の実施形態に記載される当該用語を例示する具体物等との対応関係を示すものである。
【発明を実施するための最良の形態】
【００２９】
以下、本発明の一実施形態について説明する。図１に、本実施形態に係る忘れ物通知システムの全体構成を概略的に示す。この忘れ物通知システムは、携帯通信機１、施設通信機２ａ、施設通信機２ｂ、路上通信機２ｃ、施設管理サーバ３、広域通信ネットワーク（例えばインターネット）４、忘れ物サーバ５、無線基地局６ａ、無線基地局６ｂ、車両内７の車両用ナビゲーション装置８、自宅内９のパーソナルコンピュータ１０等を含んでいる。
【００３０】
携帯通信機１は、携帯電話機、無線通信機能を有するＰＤＡ等、通常はユーザに携帯されることで当該ユーザの管理下に置かれる無線通信機である。本実施形態においては、この携帯通信機１をユーザが置き忘れた結果、携帯通信機１がユーザの管理下を離れてしまった場合について主に説明する。
【００３１】
なお、本実施形態の携帯通信機１は、無線基地局６ｂを介した広域通信（例えば、電話通信）を行うと共に、施設通信機２ａ、２ｂ、路上通信機２ｃを相手に狭域通信（無線ＬＡＮ（ワイドバンド）、Ｂｌｕｅｔｏｏｔｈ、ＤＳＲＣ等）を行うことができる。
【００３２】
図２に、この携帯通信機１の構成を示す。携帯通信機１は、広域通信部１１、狭域通信部１２、表示部１３、操作部１４、記憶部１６、および制御部１７を有している。
【００３３】
広域通信部１１は、電話通話等の広域通信のための基地局（例えば無線基地局６ｂ）と無線接続することで、当該基地局を介して当該広域通信を実現するための無線装置（すなわち、増幅、変調、復調、周波数変換等の機能を有する装置）である。
【００３４】
狭域通信部１２は、Ｂｌｕｅｔｏｏｔｈ、無線ＬＡＮ（ワイドバンド）、ＤＳＲＣ等の狭域通信のためのインフラ側通信機（例えば施設通信機２ａ、施設通信機２ｂ、路上通信機２ｃ）との通信を実現するための無線装置である。なお、狭域通信部１２による通信可能範囲は、広域通信部１１による通信可能範囲より狭い。
【００３５】
表示部１３は、制御部１７からの制御に基づいてユーザに画像、文字等を表示する、ディスプレイ等の装置である。操作部１４は、ユーザの操作を受け付け、受け付けた操作に基づく信号を制御部１７に出力する装置である。記憶部１６は、プログラム、各種データ等、制御部１７が利用するデータが記録された媒体である。なお、制御部１７は、この記憶部１６に、データを記録させることもできる。
【００３６】
制御部１７は、記憶部１６に記録されたプログラムを実行することで、携帯通信機１内の他の機器とデータをやりとりして種々の処理（例えば電話通話処理）を実行する。制御部１７の処理によって携帯通信機１が実現する機能の詳細については後述する。
【００３７】
施設通信機２ａ、施設通信機２ｂ、および路上通信機２ｃのそれぞれは、インフラストラクチャに敷設される通信機である。例えば、施設通信機２ａ、２ｂは、店舗内に設置され、路上通信機２ｃは、道路脇、駐車場等に設置される。これらインフラ側通信機の通信可能エリアは、それぞれ異なる位置に設置され、それぞれの通信可能範囲は互いに異なっている（すなわち、完全一致しない）。
【００３８】
図３に、これらインフラ側通信機２の構成を示す。インフラ側通信機２のそれぞれは、ネットワークインターフェース部２１、狭域通信部２２ａ〜２２ｃ、記憶部２３、および制御部２４を有している。
【００３９】
ネットワークインターフェース部２１は、施設管理サーバ３と通信するためのインターフェース回路である。図１の例においては、施設通信機２ａ、２ｂのそれぞれのネットワークインターフェース部２１は、施設管理サーバ３への専用回線に接続するためのものである。また、路上通信機２ｃのネットワークインターフェース部２１は、広域通信ネットワーク（例えばインターネット）４を介した通信によって施設管理サーバ３と通信するためのものである。しかし、施設通信機２ａ、２ｂのネットワークインターフェース部２１が、広域通信ネットワーク４に接続するためのものであってもよいし、あるいは、路上通信機２ｃのネットワークインターフェース部２１が、施設管理サーバ３への専用回線（例えば専用周波数帯の無線回線）に接続するためのものであってもよい。
【００４０】
狭域通信部２２ａ〜２２ｃは、携帯通信機１および他の携帯通信機と狭域通信を行うための無線装置である。狭域通信部２２ａ〜２２ｃが対応する通信規格は、それぞれ異なっている。このような異なる規格の狭域通信部を複数有することで、インフラ側通信機２は、複数の狭域通信規格の通信を実現することができ、それゆえ、多数の種類の携帯通信機と通信することが可能となる。
【００４１】
記憶部２３は、プログラム、各種データ等、制御部２４が利用するデータが記録された媒体である。なお、制御部２４は、この記憶部２３にデータを書き込むこともできる。  制御部２４は、記憶部２３に記録されたプログラムを実行することで、インフラ側通信機２内の他の機器とデータをやりとりして種々の処理を実行する。制御部２４の処理によってインフラ側通信機２が実現する機能の詳細については後述する。
【００４２】
施設管理サーバ３は、施設通信機２ａ、施設通信機２ｂ、路上通信機２ｃ等の複数のインフラ側通信機２と通信し、さらに、広域通信ネットワーク４を介して忘れ物サーバ５と通信し、また広域通信ネットワーク４に対して（例えばＷｅｂサーバとして）情報を提供する。
【００４３】
図４に、この施設管理サーバ３の構成を示す。施設管理サーバ３は、広域ネットワークインターフェース部３１、専用ネットワークインターフェース部３２、記憶部３３、および制御部３４を有している。
【００４４】
広域ネットワークインターフェース部３１は、広域通信ネットワーク４に接続するためのインターフェース回路である。専用ネットワークインターフェース部３２は、施設通信機２ａ、２ｂ等と専用線を介して通信するためのインターフェース回路である。
【００４５】
記憶部３３は、プログラム、各種データ等、施設管理サーバ３が利用するデータが記録された媒体である。制御部３４は、記憶部３３に記録されたプログラムを実行することで、施設管理サーバ３内の他の機器とデータをやりとりして種々の処理を実行する。制御部３４の処理によって施設管理サーバ３が実現する機能の詳細については後述する。なお、制御部３４は、記憶部３３に、データを書き込むこともできる。
【００４６】
忘れ物サーバ５は、施設管理サーバ３と通信し、その通信によって取得した情報を、広域通信ネットワーク４を介して車両用ナビゲーション装置８、パーソナルコンピュータ１０に送信する。
【００４７】
図５に、この忘れ物サーバ５の構成を示す。忘れ物サーバ５は、ネットワークインターフェース部５１、記憶部５２、および制御部５３を有している。ネットワークインターフェース部５１は、広域通信ネットワーク４に接続するためのインターフェース回路である。記憶部５２は、プログラム、各種データ等、忘れ物サーバ５が利用するデータが記録された媒体である。制御部５３は、記憶部５２に記録されたプログラムを実行することで、忘れ物サーバ５内の他の機器とデータをやりとりして種々の処理を実行する。制御部５３の処理によって忘れ物サーバ５が実現する機能の詳細については後述する。なお、制御部５３は、記憶部５２に、データを書き込むこともできる。
【００４８】
車両用ナビゲーション装置８は、車両内７に設置され、近傍の無線基地局（例えば無線基地局６ａ）と無線接続することで、施設管理サーバ３、忘れ物サーバ５と通信することができる。
【００４９】
図６に、この車両用ナビゲーション装置８の構成、および、車両用ナビゲーション装置８の周囲に搭載される車載装置を示す。
【００５０】
車両用ナビゲーション装置８は、車外通信部８１、車内通信部８２、表示部８３、操作部８４、記憶部８５、および制御部８６を有している。また、車両内７には、ユーザ検知装置４１および電源制御器４２が搭載されている。
【００５１】
ユーザ検知装置４１は、ユーザの車両内への進入を検出し、検出時にはその旨の信号を電源制御器４２および車両用ナビゲーション装置８の制御部８６に出力するセンサである。ユーザ検知装置４１としては、例えば、車両外側のドアノブにユーザが触れたことを検出するセンサ、ドアが開いたことを検出するセンサ、車両周囲におけるユーザの車両への接近を検出するセンサ等がある。
【００５２】
電源制御器４２は、車両用ナビゲーション装置８への電力の供給・非供給を制御する装置である。具体的には、ユーザ検知装置４１からユーザを検出した旨の信号を受けると、電源制御器４２は、車両用ナビゲーション装置８への電力供給をオンとし、これによって、車両用ナビゲーション装置８が起動する。
【００５３】
また電源制御器４２は、車外通信部８１から後述する受信開始通知の信号を受けると、車両用ナビゲーション装置８への電力供給をオンとし、これによって、車両用ナビゲーション装置８が起動する。また電源制御器４２は、車外通信部８１から後述する受信終了通知の信号を受けると、車両用ナビゲーション装置８への電力供給をオフとし、これによって、車両用ナビゲーション装置８（ただし車外通信部８１は除く）の作動が停止する。
【００５４】
車外通信部８１は、車両内７の近傍の基地局（例えば無線基地局６ａ）と無線接続し、その無線接続を介して広域通信ネットワーク４上の通信機器（例えば忘れ物サーバ５）と通信するための無線装置である。
【００５５】
車外通信部８１は、車両用ナビゲーション装置８の他の部分が電力供給を受けていない場合であっても、常に電力供給を受けて作動している。そして車外通信部８１は、無線通信によってデータを受信すると、受信開始通知をユーザ検知装置４１に出力し、その後車両用ナビゲーション装置８の他の部分が起動すると、受信したデータを制御部８６に出力する。また車外通信部８１は、制御部８６に出力したデータが記憶部８５に記録された後、受信終了通知を制御部８６に出力する。なお、車外通信部８１は、記憶部８５に当該データが記録されたことについては、例えば、制御部８６からの通知によって検出するようになっていてもよい。
【００５６】
車内通信部８２は、車両内７内を通信可能エリアとする、狭域通信を行うための通信装置である。携帯通信機１が車両内７にある場合には、この車内通信部８２によって携帯通信機１と車両用ナビゲーション装置８の通信が実現する。
【００５７】
表示部８３は、制御部８６からの制御に基づいてユーザに画像、文字等を表示する、ディスプレイ等の装置である。操作部８４は、ユーザの操作を受け付け、受け付けた操作に基づく信号を制御部８６に出力する装置である。
【００５８】
記憶部８５は、ナビゲーション用の地図データ、プログラム、各種データ等、制御部８６が利用するデータが記録された媒体である。なお、制御部８６は、この記憶部１６に、データを記録させることもできる。
【００５９】
制御部８６は、記憶部８５に記録されたプログラムを実行することで、車両用ナビゲーション装置８の他の機器とデータをやりとりして種々の処理を実行する。例えば、記憶部８５中の地図データを利用して、現在位置から目的地までの最適経路を算出し、算出した最適経路の走行を案内する処理（すなわち、ナビゲーション処理）を実行する。制御部８６の処理によって車両用ナビゲーション装置８が実現する他の機能の詳細については後述する。
【００６０】
パーソナルコンピュータ１０は、自宅内９に設置され、広域通信ネットワーク４を介して施設管理サーバ３、忘れ物サーバ５と通信することができる。
【００６１】
図７に、このパーソナルコンピュータ１０の構成を示す。パーソナルコンピュータ１０は、ユーザ検知装置９０、ネットワークインターフェース部９１、操作部９２、表示部９３、記憶部９４、制御部９５を有している。
【００６２】
ユーザ検知装置９０は、ユーザのパーソナルコンピュータ１０近傍への接近を検出し、検出時にはその旨の信号を制御部９５に出力するセンサである。ユーザ検知装置９０としては、例えば、赤外線センサ、パーソナルコンピュータ１０の前に座った人を検出するためのカメラがある。
【００６３】
ネットワークインターフェース部９１は、広域通信ネットワーク４に接続するためのインターフェース回路である。操作部９２は、ユーザの操作を受け付け、受け付けた操作に基づく信号を制御部９５に出力する装置である。表示部９３は、制御部９５からの制御に基づいてユーザに画像、文字等を表示する、ディスプレイ等の装置である。記憶部９４は、プログラム、各種データ等、制御部９５が利用するデータが記録された媒体である。なお、制御部９５は、この記憶部９４に、データを記録させることもできる。
【００６４】
制御部９５は、記憶部９４に記録されたプログラムを実行することで、パーソナルコンピュータ１０の他の機器とデータをやりとりして種々の処理を実行する。制御部９５の処理によってパーソナルコンピュータ１０が実現する機能の詳細については後述する。
【００６５】
次に、本実施形態における忘れ物通知システムの作動例について説明する。図８に、この忘れ物通知システムの作動をシーケンス図で示す。この図の例は、携帯通信機１のユーザが、携帯通信機１を施設通信機２ａの通信エリア内に置き忘れた場面における作動を示している。
【００６６】
施設通信機２ａ、２ｂ等のインフラ側通信機２の制御部２４は、狭域通信部２２ａ〜２２ｃを用いて、定期的に呼びかけ信号（ポーリング）の送信（ステップ１０２）を行っている。そして携帯通信機１の制御部１７は、狭域通信部１２を介してこの呼びかけ信号を受信した場合、その呼びかけ信号に対する応答信号を、送信元のインフラ側通信機（図８の例では施設通信機２ａ）に返送する。
【００６７】
また、携帯通信機１は、携帯通信機１に対するユーザの操作が基準時間以上ないこと等に基づいて（ステップ１０８）、忘れ物モードに入る（ステップ１１０）。携帯通信機１のこの作動を実現するために、制御部１７は図９に示すプログラム２００を実行するようになっている。
【００６８】
このプログラム２００の実行において制御部１７は、まずステップ２２０で、自機の位置がユーザ管理エリア外にあるか否かを判定する。ユーザ管理エリアとは、ユーザの管理下となるエリアをいう。したがって、携帯通信機１が基準時間以上このユーザ管理エリア内に放置されていたとしても、携帯通信機が置き忘れられていることにはならない場合が多い。ユーザ管理エリアとしては、例えば図１の車両内７、自宅内９等がある。
【００６９】
自機がユーザ管理エリア外にあるか否かの判定は、例えば、制御部１７が狭域通信部１２を介して受信する信号中に含まれる送信機識別コードに基づいて行うようになっていてもよい。
【００７０】
具体的には、
（１）狭域通信部１２を介して信号を受信する、
（２）当該受信した信号中に、当該信号の送信元の機器の識別コードが含まれる、
（３）当該識別コードが、予め携帯通信機１の記憶部１６に記録された１つまたは複数の管理下機器識別コードのうちいずれかに合致する、
という３つの条件のすべてが満たされたときに、自機がユーザ管理エリア外にない（すなわち、自機がユーザ管理エリア内にある）と判定し、これら３つの条件のうち１つでも満たされないときに、自機がユーザ管理エリア外にあると判定する。
【００７１】
記憶部１６に記録される管理下機器識別コードとしては、例えば、ユーザの車両に搭載される車両用ナビゲーション装置８の識別コード、および、ユーザの自宅内９に設置された無線ＬＡＮルータの識別コード等がある。この場合、車両内７、自宅内９が、ユーザ管理エリアとなり、それ以外の場所がユーザ管理エリア外となる。
【００７２】
ステップ２２０の判定結果が肯定的な場合、続いてステップ２３０を実行し、否定的な場合、再度ステップ２２０の判定を実行する。ステップ２３０では、「操作部１４に対するユーザの操作が第１基準時間（例えば２分）以上行われていない」という条件が満たされているか否かを判定し、満たされている場合続いてステップ２３０を実行し、満たされていない場合再度ステップ２２０を実行する。
【００７３】
ステップ２４０では、レベル１のロックを実行する。ここでいう「ロック」とは、携帯通信機１の機能の制限のことである。また、機能の制限とは、携帯通信機１が実行できる複数種類の機能（例えば、電話通話機能、電子メール受信閲覧機能、電子メール送信機能）のうち一部または全部を無効化することをいう。
【００７４】
また、ロックには、複数のレベルがある。レベルが高くなるほど、機能制限の程度が強くなる、すなわち、無効化される機能の数が多くなる。例えば、レベル１ロックでは、電子メールの送信機能のみを無効化し、より高いレベル２ロックでは、電子メールの送信機能に加え電話通話機能を無効化し、さらに高いレベル３ロックでは、電子メールの送信機能および電話通話機能に加え、電子メールの受信機能を無効化する。なお、ステップ２４０でかけるロックのレベルは、レベル１以外のものでもよい。
【００７５】
続いてステップ２５０では、電力消費を抑えるために、（現在スリープ状態でなければ）スリープ状態に遷移する。そして更に、スリープ状態が継続している時間（すなわち、最後にスリープ状態に遷移してからの経過時間：以下、スリープ積算時間という）を計測する。
【００７６】
続いてステップ２６０では、解除条件が満たされたか否かを判定し、満たされなければ続いてステップ２８０を実行し、満たされれば続いてステップ２７０を実行する。解除条件が満たされる場合としては、操作部１４に対して所定のロック解除操作があった場合がある。ロック解除操作としては、例えば、あらかじめ決められたパスワードの入力操作がある。
【００７７】
ステップ２７０では、解除条件が満たされたことに対応して携帯通信機１のロックを解除し、その後ステップ２２０を再度実行する。
【００７８】
ステップ２８０では、スリープ積算時間が第２基準時間（第１基準時間より長い：例えば１０分）を超えたか否かを判定し、超えない場合には再度ステップ２５０を実行し、超えた場合には続いてステップ２９０で忘れ物モードに入る。なお、忘れ物モードに入るとき、制御部１７は、図１０に示すような通知画面を表示部１３に表示させる。
【００７９】
このように、携帯通信機１は、自機がユーザ管理エリア外にある場合（ステップ２２０参照）、第１基準時間以上自機へのユーザ操作がないことに基づいて（ステップ２３０参照）、レベル１のロックを実行して（ステップ２４０参照）さらにスリープ状態に入り（ステップ２５０参照）、そのスリープ状態の継続期間が第２基準時間を超えるか（ステップ２８０参照）、あるいは解除条件が満たされる（ステップ２６０参照）まで待つ。そして、スリープ状態の継続期間が第２基準時間を超えると、忘れ物モードに入る。あるいは、スリープ状態の継続期間が第２基準時間を超えるまでに解除条件が満たされれば、携帯通信機１のロックを解除する（ステップ２７０参照）。
【００８０】
なお、携帯通信機１は、ロックしていない状態においてユーザ操作を受け付けた場合は、その操作に応じた各種処理（例えば電話通話処理、電子―メール送信処理、文章編集処理）を別途行うようになっている。
【００８１】
忘れ物モードに入った後、携帯通信機１は、施設通信機２ａからの呼びかけ信号の送信（図８のステップ１１２参照）があった場合等に、忘れ物状態データを施設通信機２ａに送信する（ステップ１１４）。
【００８２】
このような忘れ物状態データの送信等のために、制御部１７は、忘れ物モードに入った直後、図１１に示すプログラム３００を実行する。そしてまずステップ３１０で、それまでのロックレベルより高いレベルのロック（例えば、レベル２ロック）を実行する。
【００８３】
続いてステップ３２０では、狭域通信部１２を用いて、忘れ物状態データを近傍のインフラ側通信機に送信する。この忘れ物状態データには、（１）携帯通信機１がユーザの管理下にない旨を示す所定の情報（以下、忘れ物フラグという）、および（２）携帯通信機１を一意に特定できる識別コード（以下、携帯ＩＤという）を含める。
【００８４】
続いてステップ３３０では、当該忘れ物状態データの受領確認（ＡＣＫ）を、近傍のインフラ側通信機から受信したか否かを判定し、受信していない場合は再度ステップ３３０で忘れ物状態データの送信を行い、受信した場合は続いてステップ３５０を実行する。
【００８５】
ステップ３５０では、近傍のインフラ側通信機から呼びかけ信号を受信したか否かを判定し、受信した場合続いてステップ３７５で、忘れ物状態データの送信を行い、その後再度ステップ３５０を実行する。
【００８６】
このように、携帯通信機１は、忘れ物モードに入ると、ロックレベルをそれまでよりも高くし（ステップ３１０参照）、忘れ物状態データを近傍の（すなわち通信エリア内に自機が属している）インフラ側通信機（図８の例では施設通信機２ａ）に自発的に送信し、その送信が確実にインフラ側通信機に届いたことを確認するまで送信を繰り返す（ステップ３３０参照）。
【００８７】
その後携帯通信機１は、近傍のインフラ側通信機から呼びかけ信号を受信する度に（ステップ３５０参照）、それに対応して忘れ物状態データを返信する（ステップ３７５参照）。
【００８８】
なお、携帯通信機１は、呼びかけ信号および後述する遠隔設定信号以外の信号を受信した場合は、その信号の内容に応じた各種処理（例えば電話着信処理、電子―メール受信処理）を別途行うようになっている。
【００８９】
携帯通信機１から忘れ物状態データが送信された場合、携帯通信機１の近傍のインフラ側通信機（図８の例では施設通信機２ａ）の制御部２４は、狭域通信部２２ａ〜２２ｃのうちいずれかを介してその忘れ物状態データを受信し、受信した忘れ物状態データに、自機（図８の例では施設通信機２ａ）の識別コード（以下、インフラＩＤという：所在位置情報の一例に相当する）を含め、その結果の忘れ物状態データを、ネットワークインターフェース部２１を介して施設管理サーバ３に送信する（ステップ１１８）。なお、インフラＩＤとしては、当該インフラ側通信機の所在位置のマップコードであってもよいし、位置座標（緯度、経度、高度）範囲であってもよい。
【００９０】
その後制御部２４は、受信した忘れ物状態データ中の携帯ＩＤと忘れ物フラグとを関連付けて、記憶部２３に記録する（ステップ１１６）。このように、インフラ側通信機は、自機の通信エリア内で忘れ物モードに入っている携帯通信機を特定する情報を記憶することができる。
【００９１】
施設通信機２ａから施設管理サーバ３に忘れ物状態データが送信された場合、施設管理サーバ３の制御部３４は、専用ネットワークインターフェース部３２を介して当該忘れ物状態データを受信し、さらに、広域ネットワークインターフェース部３１を介して、受信した忘れ物状態データを忘れ物サーバ５に送信する（ステップ１１９）。
【００９２】
さらに制御部３４は、受信した忘れ物状態データ中のインフラＩＤと、記憶部３３にあらかじめ記録されている対応テーブルを参照して、当該忘れ物状態データの送信元のインフラ側通信機の存在エリアを特定し、さらに当該存在エリアを携帯通信機１の存在エリアとして特定する（ステップ１２０）。
【００９３】
なお、この対応テーブルは、インフラＩＤと、当該インフラＩＤに対応するインフラ側通信機の所在位置の情報（例えば、緯度・経度・高さ、施設中の特定の区画、特定の店舗名、特定の駐車場名等）との対応関係を複数組分有するデータである。
【００９４】
さらに制御部３４は、特定した携帯通信機１の存在エリアと、当該忘れ物状態データ中の携帯ＩＤとを関連付けた情報を、ＷＥＢデータ（例えば、ＨＴＭＬデータ）として作成し、作成したＷＥＢデータに対して他の通信機器が（広域通信ネットワーク４を介して）アクセスできるように、例えばＷＥＢサーバとして機能する（ステップ１２２）。
【００９５】
施設管理サーバ３から忘れ物サーバ５に忘れ物状態データが送信された場合、忘れ物サーバ５の制御部５３は、ネットワークインターフェース部５１を介して当該忘れ物状態データを受信し、受信した忘れ物状態データ中のインフラＩＤと、記憶部５２にあらかじめ記録されている第１対応テーブルを参照して、当該忘れ物状態データの送信元のインフラ側通信機の存在エリアを特定し、さらに当該存在エリアを携帯通信機１の存在エリアとして特定する（ステップ１２３）。この第１対応テーブルの内容は、施設管理サーバ３における対応テーブルと同じである。なお、制御部５３は、携帯通信機１の存在エリアの情報を、施設管理サーバ３から受信するようになっていてもよい。また、インフラＩＤがマップコードまたは位置座標範囲である場合には、それをそのま存在エリアとして特定するようになっていてもよい。
【００９６】
また制御部５３は、記憶部５２にあらかじめ記録されている第２対応テーブルを参照して、受信した忘れ物状態データ中の携帯ＩＤに対応する通知先のアドレス（メールアドレス、ＩＰアドレス等）を特定し、ネットワークインターフェース部５１を介して、特定した通知先に、当該忘れ物状態データを送信する（ステップ１２４）。なお、第２対応テーブルには、携帯ＩＤと当該携帯ＩＤに対応する通知先アドレスとの組が、複数組記録されている。
【００９７】
また、忘れ物サーバ５から、忘れ物状態データ中の携帯ＩＤに対応する通知先として車両用ナビゲーション装置８、パーソナルコンピュータ１０等の通知先通信機器に忘れ物状態データが送信された場合、当該通知先通信機器は、受信した忘れ物状態データを記録する（ステップ１２５）。
【００９８】
例えば、作動中のパーソナルコンピュータ１０の制御部９５がネットワークインターフェース部９１を介して忘れ物状態データを受信した場合、制御部９５は、当該忘れ物状態データを記憶部９４に記録する。
【００９９】
また例えば、車両用ナビゲーション装置８の車外通信部８１が忘れ物状態データを受信した場合、車外通信部８１が受信開始通知を電源制御器４２に出力し、それに対応して電源制御器４２が車両用ナビゲーション装置８への電力供給をオンとし、それによって起動した制御部８６が車外通信部８１から忘れ物状態データを取得し、取得した忘れ物状態データを記憶部８５に記録する。そしてその記録後、車外通信部８１（または制御部８６でもよい）が受信終了通知を電源制御器４２に出力し、電源制御器４２がそれに応じて車両用ナビゲーション装置８への電力供給をオフにする。
【０１００】
その後、通知先通信機器は、ユーザが自機の近傍に近づいたことを検出すると、記録した忘れ物状態データの情報を当該ユーザに報知する（ステップ１２６）。
【０１０１】
例えば、パーソナルコンピュータ１０にユーザが近づくと、パーソナルコンピュータ１０のユーザ検知装置９０がユーザの存在を検出し、その旨の信号を制御部９５に出力する。すると制御部９５は、その信号に基づいて、受信して記憶部９４に記録した携帯通信機１の存在エリアの情報を、表示部９３を用いてユーザに表示する。
【０１０２】
また例えば、車両用ナビゲーション装置８の近傍（すなわち車両内７）にユーザが接近すると、ユーザ検知装置４１がそれを検出し、その旨の信号（以下、接近信号という）を電源制御器４２に出力し、電源制御器４２が当該接近信号を受けたことに基づいて車両用ナビゲーション装置８への電力供給をオンとする。そして制御部８６が起動すると、ユーザ検知装置４１は、制御部８６にも接近信号を出力する。
【０１０３】
制御部８６は、起動後に、図１２に示すプログラム４００を実行し、まずステップ４１０で、ユーザが接近したか否かを、ユーザ検知装置４１からの接近信号の有無に基づいて判定し、接近したと判定した場合、続いてステップ４３０を実行し、接近したと判定しない場合、再度ステップ４１０を実行する。
【０１０４】
ステップ４３０では、記憶部８５に記録されている忘れ物状態データを読み出し、読み出した忘れ物状態データに基づいて、携帯通信機１の存在エリアの情報を示す画像または文字を生成し、生成した画像または文字を表示部８３に表示させる。これによって、車両用ナビゲーション装置８は、携帯通信機１の存在位置を自動的に（すなわち、ユーザの特別な操作を必要とせず）ユーザに通知することができる。
【０１０５】
表示部８３に表示させる画像の例としては、図１３、図１４に示すような画像がある。図１３、図１４の画像は、商店街の店舗中のテーブル毎にインフラ側通信機が設置されている場合において、詳細度を段階的に変化させて表示を行うための画像である。
【０１０６】
図１３に示す画像は、商店街の地図７１と、当該地図上の存在エリアを含む店舗７２を指示するマーク７３と、当該店舗７２までの経路７４と、当該店舗７２内の詳細図がある旨を示すボタン７５と、経路案内用ボタン７６と、遠隔制御用ボタン７７と、を有している。ボタン７５、７６、７７は、ユーザが操作部８４を用いて選択することができるようになっている。また、図１３に示す画像に、当該店舗７２の名称および電話番号を表示させるようになっていてもよい。
【０１０７】
ユーザがボタン７５を選択すると、制御部８６は、図１４に示すの画像を表示部８３に表示させる。図１４に示す画像は、店舗７２内の地図７１と、当該地図上の存在エリアを含を指示するマーク４２と、当該店舗７２内の受付エリア（すなわち、受付用の係員がいるエリア）を指示するマーク４３と、遠隔制御用ボタン４４と、を有している。
【０１０８】
このような画像を車両用ナビゲーション装置８が表示することで、ユーザは、携帯通信機１の所在を視覚的に把握することができる。
【０１０９】
なお、制御部８６は、図１３、１４に示すような地図、および、当該地図中の店舗７３、存在エリア４２、受付エリア４３の配置についての情報（以下、配置情報という）は、記憶部８５中の地図データから読み出すようになっていてもよいし、忘れ物状態データと共に忘れ物サーバ５から受信するようになっていてもよいし、忘れ物サーバ５を介して施設管理サーバ３から受信するようになっていてもよい。
【０１１０】
また、制御部８６は、図１３に示すような経路７４を、記憶部８５中の地図データに基づいて算出するようになっていてもよいし、忘れ物状態データと共に忘れ物サーバ５から受信するようになっていてもよいし、忘れ物サーバ５を介して施設管理サーバ３から受信するようになっていてもよい。経路７４を制御部８６が受信する場合は、その経路７４の送信元の忘れ物サーバ５または施設管理サーバ３が、当該経路７４の算出を行う。
【０１１１】
また制御部８６は、ステップ４３０に続くステップ４４０で、表示部８３に表示させた忘れ物情報をユーザが確認したか否かを、操作部８４に対する所定の操作があったか否かで判定し、確認したと判定した場合続いてステップ４５０を実行し、確認していないと判定した場合続いてステップ４３０を実行する。
【０１１２】
続いてステップ４５０では、ユーザがすぐに携帯通信機１を回収に行くつもりであるか否かを、操作部８４に対するユーザ操作に基づいて判定する。図１３、図１４に示した表示例においては、所定時間以内に図１３の経路案内ボタン７６の選択があった場合に、ステップ４５０の判定結果が肯定的となり続いてステップ４６０を実行し、そうでない場合、ステップ４５０の判定結果が否定的となり、その後プログラム４００の実行が終了する。
【０１１３】
ステップ４６０では、経路７４に従った経路案内を、既述のナビゲーション処理によって実現する。ステップ４６０の後、プログラム４００の実行は終了する。
【０１１４】
なお、携帯通信機１が単に置き忘れられただけでなく、移動（図８の１８０参照）する場合がある。移動の原因としては、携帯通信機１の拾得者（または窃盗者）が所持して移動すること等がある。このような場合において、携帯通信機１が施設通信機２ａの通信エリアから施設通信機２ｂの通信エリアに入ると、制御部１７は、図１１のステップ３５０において、施設通信機２ｂから送信された（図８のステップ１２７）呼びかけ信号を受信し、それに応じてステップ３７５で忘れ物状態データを送信する（ステップ１２８）。
【０１１５】
すると施設通信機２ｂの制御部２４は、施設通信機２ａと同様に、受信した忘れ物状態データに、自機のインフラＩＤ（所在位置情報の一例に相当する）を含め、その結果の忘れ物状態データを、ネットワークインターフェース部２１を介して施設管理サーバ３に送信する（ステップ１３０）。また施設通信機２ｂの制御部２４は、受信した忘れ物状態データ中の携帯ＩＤと忘れ物フラグとを関連付けて、記憶部２３に記録する（ステップ１３２）。
【０１１６】
施設通信機２ｂから施設管理サーバ３に忘れ物状態データが送信された場合、施設管理サーバ３は、ステップ１１９と同様の処理で、受信した忘れ物状態データを忘れ物サーバ５に送信する（ステップ１３８）。
【０１１７】
さらに施設管理サーバ３は、ステップ１２０と同様に、受信した忘れ物状態データ中のインフラＩＤと、記憶部３３にあらかじめ記録されている対応テーブルを参照して、当該忘れ物状態データの送信元のインフラ側通信機の存在エリアを特定する。
【０１１８】
そして、受信した忘れ物状態データ中の携帯ＩＤと同じ携帯ＩＤについての存在エリアが現在記憶部３３に記録されていれば、新たに受信した存在エリアを、携帯通信機１の新たな存在エリアとして、それまで記録されていた当該存在エリアに置き換える。すなわち、携帯通信機１の存在エリアをアップデートする（ステップ１３４）。さらに施設管理サーバ３は、新たに特定した存在エリアを用いて、ステップ１２２で作成したＷＥＢデータを更新する（ステップ１３６）
施設管理サーバ３から忘れ物サーバ５に忘れ物状態データが送信された場合、忘れ物サーバ５は、ステップ１２３と同様に、当該忘れ物状態データの送信元のインフラ側通信機の存在エリアを特定する。そして、受信した忘れ物状態データ中の携帯ＩＤと同じ携帯ＩＤについての存在エリアが記憶部５２に記録されていれば、新たに受信した存在エリアを、携帯通信機１の新たな存在エリアとして、それまで記録されていた当該存在エリアに置き換える。すなわち、携帯通信機１の存在エリアをアップデートする（ステップ１４０）。
【０１１９】
また忘れ物サーバ５は、ステップ１２４と同様に、受信した忘れ物状態データ中の携帯ＩＤに対応する通知先のアドレスを特定し、特定した通知先に、当該忘れ物状態データを送信する（ステップ１４２）。
【０１２０】
また、忘れ物サーバ５から、忘れ物状態データ中の携帯ＩＤに対応する通知先として車両用ナビゲーション装置８、パーソナルコンピュータ１０等の通知先通信機器に忘れ物状態データが送信された場合、当該通知先通信機器は、受信した忘れ物状態データを記録する（ステップ１４４）。
【０１２１】
なお、当該通知先通信機器は、受信した忘れ物状態データに基づいて、図１２のステップ４３０以降を実行することで、ユーザに携帯通信機１の位置を通知するようになっていてもよい。
【０１２２】
その後、ユーザは、通知先通信機器を操作して、携帯通信機１のロックレベル等の遠隔制御を行うことができる。例えば、パーソナルコンピュータ１０においては、ユーザが携帯通信機１の遠隔制御を依頼する旨の操作を操作部９２に対して行った場合（ステップ１４６）、制御部９５が、遠隔設定信号を、忘れ物状態データの送信元のインフラ側通信機および携帯通信機１を最終宛先として、忘れ物サーバ５に送信する（ステップ１４８）。当該インフラ側通信機および携帯通信機１は、最後に受信した忘れ物状態データ中のインフラＩＤおよび携帯ＩＤを用いて特定する。
【０１２３】
また例えば車両用ナビゲーション装置８においては、制御部８６は、プログラム４００の実行時に、ユーザが携帯通信機１の遠隔制御を依頼する旨の操作を操作部８４に対して行った場合（例えば、ユーザが図１３、図１４の遠隔制御ボタン７７、４４を選択した場合、図８のステップ１４６）、遠隔設定信号を、忘れ物状態データの送信元のインフラ側通信機および携帯通信機１を最終宛先として、忘れ物サーバ５に送信する（図８のステップ１４８）。
【０１２４】
遠隔設定信号に含める情報は、携帯通信機１のロックレベルを指定する情報、忘れ物モードの解除の有無を示す情報等である。指定するロックレベル、および忘れ物モードの解除の有無は、操作部８４に対するユーザの操作内容に基づいて決定する。
【０１２５】
忘れ物サーバ５は、車両用ナビゲーション装置８から受信した遠隔設定信号を、宛先のインフラ側通信機（図８の例では施設通信機２ｂ）に接続された施設管理サーバ３へ転送する（ステップ１５２）。また、施設管理サーバ３は、この転送された遠隔設定信号を受信すると、宛先のインフラ側通信機に送信する（ステップ１５４）。また、インフラ側通信機は、この遠隔設定信号を受信すると、宛先の携帯通信機１に送信する（ステップ１５６）
携帯通信機１の制御部１７は、この遠隔設定信号を受信すると、図１１のステップ３５０で近傍のインフラ側通信機から呼びかけ信号を受信していない場合に続くステップ３６０で、遠隔設定信号を受信と判定し、続いてステップ３８０を実行する。なお、受信していないと判定した場合は再度ステップ３５０を実行する。
【０１２６】
ステップ３８０では、直前のステップ３６０で受信した遠隔設定信号の内容に基づいて、携帯通信機１のロックレベルを設定する。続いてステップ３８５では、直前のステップ３６０で受信した遠隔設定信号に、忘れ物モードの解除ありを示す情報が含まれているか否かを判定し、含まれていなければ再度ステップ３５０を実行し、含まれていれば続いてステップ３９０で忘れ物モードを解除した上で、その後プログラム３００の実行を終了する。
【０１２７】
このように、携帯通信機１は、近傍のインフラ側通信機から遠隔設定信号を受信すると（ステップ３６０参照）、その遠隔設定信号の内容に従ってロックレベルを設定し（ステップ３８０）、また、遠隔設定信号の内容に忘れ物モード解除命令が含まれていれば（ステップ３８５参照）、忘れ物モードを解除する（ステップ３９０参照）。この処理は、図８のステップ１５８の処理に該当する。
【０１２８】
そして制御部１７は、遠隔設定信号の内容に従った処理を行った後、処理完了通知を近傍のインフラ側通信機（図８の例では施設通信機２ｂ）に送信する（ステップ１６０）。この処理完了通知を受信したインフラ側通信機は、施設管理サーバ３へ当該処理完了通知を転送し（ステップ１６２）、当該処理完了通知を受信した施設管理サーバ３は、当該処理完了通知を忘れ物サーバ５へ転送する（ステップ１６４）。
【０１２９】
また、この処理完了通知を受信した忘れ物サーバ５は、当該処理完了通知を（遠隔設定信号の発信元の）通知先通信機器に転送する（ステップ１６８）と共に、遠隔制御処理完了の旨を記録する（ステップ１６６）。また、この処理完了通知を受けた通知先通信機器は、遠隔制御処理完了の旨を記録する（ステップ１７０）。
【０１３０】
以上のような忘れ物通知システムの作動により、携帯通信機１の存在エリアのユーザへの通知、および、ユーザによる携帯通信機１の機能制限の遠隔制御が実現する。
【０１３１】
すなわち、忘れ物通知システムにおいて、複数のインフラ側通信機２ａ〜２ｃのそれぞれは、自機の通信可能エリア内の携帯通信機１から、当該携帯通信機１が忘れ物状態データを受信したことに基づいて、受信した当該忘れ物状態データに自機の所在位置情報を含めて施設管理サーバ３、および施設管理サーバ３を介して忘れ物サーバ５に送信する。
【０１３２】
また、施設管理サーバ３は、当該複数のインフラ側通信機のうち１つ（例えば施設通信機２ａ）から送信された忘れ物状態データを受信したことに基づいて、当該忘れ物状態データに含まれるインフラ側通信機の所在位置情報を、当該忘れ物状態データにおいて特定されている携帯通信機１の所在位置として、ＷＥＢデータの形式で通知する。
【０１３３】
また、忘れ物サーバ５は、当該複数のインフラ側通信機のうち１つから送信された忘れ物状態データを受信したことに基づいて、当該忘れ物状態データに含まれるインフラ側通信機の所在位置情報を、当該忘れ物状態データにおいて特定されている携帯通信機１の所在位置として、あらかじめ携帯通信機に対応して登録されている通知先通信機器に通知する。
【０１３４】
このように、通信可能エリアがそれぞれ異なる複数のインフラ側通信機２ａ〜２ｃのうち、携帯通信機と通信しているインフラ側通信機の所在位置を、当該携帯通信機の所在位置であるとみなすことで、当該インフラ側通信機の通信可能エリアの大きさ程度の正確さで、当該携帯通信機１の所在を特定することができる。
【０１３５】
また、上述のような忘れ物通知システムと通信可能な携帯通信機１が、自機が基準時間以上ユーザの操作を受けていないことを検出し、当該検出に基づいて、複数のインフラ側通信機のうち、自機が通信可能エリア内にあるインフラ側通信機に対して、忘れ物状態データを送信するようになっている。
【０１３６】
このように、基準時間以上放置されている場合に携帯通信機１が忘れ物状態データを送信するようになっていることで、正確性の高い置き忘れの検知が可能となる。
【０１３７】
また、携帯通信機１は、あらかじめ設定された自機のユーザの管理エリア内に自機がある場合には、忘れ物状態データの送信を禁止するようになっている。
【０１３８】
このようになっていることで、携帯通信機１が基準時間以上放置されていたとしても、必ずしも携帯通信機１が置き忘れられているとは限らないようなエリア（例えば、自宅、自車両内等）を管理エリアとして予め定めておけば、不必要な忘れ物状態データの送信を抑えることができる。
【０１３９】
また、携帯通信機１は、忘れ物通知システムの第１の携帯通信機から遠隔設定信号を受信したことに基づいて、自機の機能の制限内容を変化させるようになっている。このようになっていることで、きめ細かな携帯通信機の遠隔操作による機能制限が実現する。
【０１４０】
また、忘れ物サーバ５は、無線通信機と通知先通信機との第２対応テーブル（複数組の対応関係データに相当する）を記憶しており、また、インフラ側通信機から送信された忘れ物状態データを受信した場合、当該忘れ物状態データにおいて特定されている携帯通信機１を当該第２対応テーブルに適用することで、当該の忘れ物状態データに対応する通知先通信機を特定し、特定した通知先通信機に対して、当該忘れ物状態データに含まれる携帯通信機の所在位置情報を送信する。
【０１４１】
このように、忘れ物サーバ５にあらかじめ第２対応テーブルを記憶させておくことで、その第２対応テーブルに基づいて、携帯通信機１の所在位置情報を通知する先を決定することができる。これにより、置き忘れられた携帯通信機１の所在位置の適切な通知先通信機（例えば、携帯通信機１のユーザへの連絡先としての通知先通信機）を容易に特定することができる。
【０１４２】
また、施設管理サーバ３および忘れ物サーバ５は、通知先通信機から携帯通信機１の機能制限を制御する遠隔設定信号を受信したことに基づいて、上述の携帯通信機１を特定する忘れ物状態データの送信元であるインフラ側通信機に対して、当該遠隔設定信号を送信するようになっている。その場合、インフラ側通信機は、当該遠隔設定信号を受信したことに基づいて、当該携帯通信機１に当該遠隔設定信号を送信するようになっている。
【０１４３】
このようになっていることで、インフラ側通信機は、忘れ物サーバ５、施設管理サーバ３を介して置き忘れた携帯通信機１の所在位置情報が適切な通知先通信機に通知されるばかりではなく、通知先通信機から忘れ物サーバ５、施設管理サーバ３、インフラ側通信機を介して、携帯通信機１の機能制限を遠隔制御することが可能となる。
【０１４４】
また、携帯通信機１は、忘れ物通知システムのインフラ側通信機から遠隔設定信号を受信したことに基づいて、自機の機能の制限内容を変化させるようになっている。このようになっていることで、きめ細かな携帯通信機の遠隔操作による機能制限が実現する。
【０１４５】
また、施設管理サーバ３および忘れ物サーバ５は、施設通信機２ａ（第１のインフラ側通信機の一例に相当する）から第１の忘れ物状態データ（図８のステップ１１８、１１９参照）を受信した後、施設通信機２ｂ（第２のインフラ側通信機の一例に相当する）から送信された第２の忘れ物状態データ（ステップ１３０、１３８参照）を受信した場合、当該第２の忘れ物状態データにおいて特定されている携帯通信機１と、第１の忘れ物状態データにおいて特定されている携帯通信機１とが同じであることに基づいて、第１および第２の忘れ物状態データにおいて特定されている当該携帯通信機１の所在位置を、第２の忘れ物状態データに含まれるインフラ側通信機の所在位置情報に更新し、更新後の所在位置を通知するようになっている。
【０１４６】
携帯通信機１が拾得、盗難等に遭って誰か（または何か）によって運ばれて移動している場合、その移動に応じて携帯通信機が属する通信可能エリアが変われば、それまでとは異なるインフラ側通信機から同じ携帯通信機を特定する忘れ物状態データが送信されることになる。そして、上記のような構成によれば、施設管理サーバ３、忘れ物サーバ５は、同じ携帯通信機の忘れ物状態データを異なるインフラ側通信機から受ければ、新しく受けた方の忘れ物状態データにおいて特定されている所在位置を、新しく受けた方の忘れ物状態データにおいて特定されている所在位置に置き換える。したがって、施設管理サーバ３、忘れ物サーバ５は、携帯通信機の移動に追随した所在位置通知を行うことができる。
【０１４７】
また、通知先通信機器（ユーザ側通信端末に相当する）が、忘れ物サーバ５から、携帯通信機１の所在位置情報を受信して記録し、さらに、自機へのユーザの接近を検出し、その検出に基づいて、記録した所在位置情報をユーザに表示するようになっている。
【０１４８】
このようになっていることで、ユーザが通知先通信機器（例えば、車両用ナビゲーション装置８、パーソナルコンピュータ１０）の付近にいないときに、携帯通信機１の所在位置情報を忘れ物サーバ５から受信して記録した場合でも、ユーザが通知先通信機器に近づいたときに、自動的にその所在位置情報がユーザに通知されるので、ユーザが携帯通信機１の置き忘れに気付いていないときには、置き忘れた位置のみならず、その置き忘れ自体に気付かせることができる。
【０１４９】
また、車両用ナビゲーション装置８は、記録した所在位置までの経路を表示および案内するようになっている。このようになっていることで、携帯通信機１を回収に行くことが、ユーザにとって容易になる。
【０１５０】
なお、携帯通信機１において、上述のように複数の段階に分かれたロックレベル（例えばレベル１〜３のロック）があり、それらのうちの最低のレベル（すなわち最も制限が弱いレベル）以外のロックが実行されている場合、制御部１７は、操作部１４に対するユーザ操作に合わせて段階的にロックレベルを下げていき、最終的にロックを解除するようになっていてもよい。
【０１５１】
例えば、制御部１７は、図１５に示すように、レベル３ロックがかかっている状態では、表示部１３に、ロックレベルを通知すると共に所定のデータ１（具体的にはユーザ名前）の入力を促す画像６１を表示させ、当該データの入力が操作部１４に対して行われると、ロックレベルを１段階下げてレベル２ロックを実行する。
【０１５２】
また、制御部１７は、レベル２ロックを実行した後、表示部１３に、データ１が入力されたことを通知すると共に所定のデータ２（具体的には、あらかじめユーザが設定したロックパスワードのうちいずれか）の入力を促す画像６２を表示させ、当該データの入力が操作部１４に対して行われると、ロックレベルを１段階下げてレベル１ロックを実行する。
【０１５３】
そして、制御部１７は、レベル１ロックを実行した後、表示部１３に、データ２が入力されたことを通知すると共に所定のデータ３（具体的には、あらかじめユーザが設定したロックパスワードのうちいずれか）の入力を促す画像６３を表示させ、当該データの入力が操作部１４に対して行われると、ロックを解除する。その後、制御部１７は、データ３の入力があった旨、およびロックを解除する旨を示す画像６４を表示部１３に表示させる。
【０１５４】
なお、車両用ナビゲーション装置８の制御部８６は、携帯通信機１が車両内７（すなわちユーザ管理エリア）に入ったときの時刻および自機の位置、ならびに、携帯通信機１が車両内７から外に出たときの時刻および自機の位置を、記憶部８５に記録するようになっていてもよい。このような作動を実現するために、制御部８６は、図１６に示すプログラム５００を実行する。
【０１５５】
このプログラム５００の実行において、制御部８６は、まずステップ５１０で、車内通信部８２を介して携帯通信機１と無線接続したか否かを判定し、無線接続したなら続いてステップ５３０を実行し、無線接続していないならステップ５２０で携帯通信機１の置き忘れ警告を行う。
【０１５６】
この置き忘れ警告は、車両内７に携帯通信機１を持ち込むのを忘れていることをユーザに知らせるための通知である。なお、このステップ５２０は、あらかじめ決められたユーザ管理エリア（例えば、自宅駐車場、勤め先駐車場）に自機があるときにのみ実行するようになっていてもよい。なお、これらあらかじめ決められたユーザ管理エリア内に自機があるか否かは、ユーザ管理エリアに該当する位置の座標範囲（あらかじめ記憶部８５に記録されている）と、図示しないＧＰＳ等の位置検出器に基づいて特定した自機の現在位置との比較に基づいて判定してもよいし、あるいは、図示しない車外近距離通信部が、ユーザ管理エリアを通信エリアとする通信機（あらかじめ記憶部８５に記録されている）と通信しているか否かに基づいて判定してもよい。
【０１５７】
ステップ５３０では、接続した携帯通信機１の携帯ＩＤを記憶部８５に記録する。続いてステップ５４０では、自機の現在位置（すなわち携帯通信機１の接続位置）および現在時刻（すなわち携帯通信機１の接続時刻）を、当該携帯ＩＤに関連付けて、記憶部８５に記録する。
【０１５８】
続いてステップ５５０では、当該携帯通信機１との無線接続が切断するまで待ち、切断されると、続いてステップ５６０で、自機の現在位置（すなわち、携帯通信機１の切断位置）および現在時刻（すなわち、携帯通信機１の切断時刻）を、当該携帯ＩＤに関連付けて記憶部８５に記録する。
【０１５９】
なお、ステップ５６０の後、記憶部８５は、スリープ状態に移行するようになっていてもよいし、車両用ナビゲーション装置８自体が停止するようになっていてもよい。
【０１６０】
このようになっていることで、ユーザは、後にこの記録を確認することで、車両用ナビゲーション装置８に無線接続されていた携帯通信機１をどの場所・時間において接続を外したかがわかり、携帯通信機１の紛失場所をある程度特定する手がかりを得ることができる。
【０１６１】
（他の実施形態）
以上、本発明の実施形態について説明したが、本発明の範囲は、上記実施形態のみに限定されるものではなく、本発明の各発明特定事項の機能を実現し得る種々の形態を包含するものである。
【０１６２】
例えば、上記実施形態においては、携帯通信機１とインフラ側通信機との間の通信として、狭域通信が示されているが、携帯通信機１とインフラ側通信機との間の通信としては、近接型通信（例えば、ＲＦタグ、無線カードを用いた通信）を用いてもよい。
【０１６３】
また、施設管理サーバ３は必ずしもなくてもよい。その場合、インフラ側通信機が直接忘れ物サーバ５に忘れ物状態データを送信するようになっていればよい。
【０１６４】
また、忘れ物サーバ５も、施設管理サーバ３と同様に携帯通信機１の存在エリアを報知するＷＥＢデータを作成し、そのＷＥＢデータに広域通信ネットワーク４上の通信機器からアクセスできるようにしてもよい。
【０１６５】
また、車両用ナビゲーション装置８は、記憶部８５として、ハードディスクドライブおよびそれ以外の（ハードディスクドライブよりも起動が速い）他の書き込み可能記憶媒体（例えば、フラッシュメモリ）を有している場合、受信した忘れ物状態データをハードディスクドライブ以外の書き込み可能記憶媒体に記憶するようになっていてもよい。この場合、制御部８６は、ユーザ検知装置４１から接近信号を受けた場合、ハードディスクドライブを作動させず、当該他の書き込み可能記憶媒体から忘れ物状態データを読み出すようになっていてもよい。このようになっていることで、ユーザを検知してから短時間で表示を行うことができる。
【０１６６】
また、携帯通信機１がユーザ管理エリア内にある場合にも、ステップ２３０〜２９０のような処理を行ってもよい。その際には、ステップ２３０の設定時間およびステップ２８０の基準時間は、ユーザ管理エリア外にある場合に比べて長くし、かつ、ステップ２４０のロックのレベルは、ユーザ管理エリア外にある場合に比べて低いものにしてもよい。
【０１６７】
このように、携帯通信機１は、自機がユーザ管理エリア内にあるような場合であっても、忘れ物状態データを送信する場合がある。したがって、例えば、車両盗難等によって携帯通信機がユーザの管理下から離れてしまうような場合に対応して、忘れ物状態データの送信、ひいては、携帯通信機の位置の特定が可能となる。
【０１６８】
ただし、ユーザ管理エリア内における盗難の可能性は、ユーザ管理エリア外における置き忘れの可能性よりも低いので、ユーザ管理エリア内において基準時間として使用する時間は、前者の方が長くなっている。これによって、ユーザ管理エリア内においては、忘れ物状態データの送信は行いつつも、不必要な忘れ物状態データの送信をある程度抑えることができる。また、ユーザ管理エリア内においては、ロックレベルを低く設定するので、ロック解除のための操作のステップ数が少なくなる。
【０１６９】
また、携帯通信機１は、ロックを解除しようとする操作が自機に対してあったことを検出すると、近傍のインフラ側通信機にその旨の信号（以下、操作信号という）送信するようになっていてもよい。なお、この操作信号には、ロック解除の失敗・成功の情報を含めるようになっていてもよい。
【０１７０】
そして、当該インフラ側通信機は、受信した操作信号を施設管理サーバ３に送信し、施設管理サーバ３は受信した操作信号を忘れ物サーバ５に送信し、忘れ物サーバ５は受信した操作信号を携帯通信機１に対応する通知先通信機器に送信し、当該通知先通信機器は操作信号の受信の通知をユーザに行うようになっていてもよい。
【０１７１】
また、電源制御器４２は、車両用ナビゲーション装置８の必要な部分への電力供給のみをオンにするようになっていてもよい。その場合、忘れ物状態データの受信時は、車外通信部８１から受信開始通知を受信したことに基づいて、記憶部８５と制御部８６への電力供給のみをオンとするようになっていてもよい。
【０１７２】
また、上記実施形態のように、インフラＩＤをを具体的な所在エリアに変換する処理は、施設管理サーバ３が行ってもよいし、インフラ側通信機自体が行ってもよいし、忘れ物サーバ５、通知先通信機器において行ってもよい。
【０１７３】
また、各施設に各種の通信機器が設置される可能性があるため、携帯通信機１においては、どの施設でどのような通信機能（通信周波数、通信方式）が使われるかという施設通信機能データ（初期通信処理に使うデータ）が記憶部１６にあらかじめ記憶されていてもよい。その場合、携帯通信機１は、現在位置（例えば図示しないＧＰＳ受信機によって特定する）に対応する施設の通信機能に合わせて自機の通信機能を設定するようになっていてもよい。また、携帯通信機１は、各施設に入る前に、ユーザの操作に応じて、当該施設の施設通信機能データを、当該施設のＷＥＢサーバ等からダウンロードするようになっていてもよい。あるいは、携帯通信機１は、当該施設の入り口で、当該入り口に設置された通信機から、近接通信により、当該施設の施設通信機能データを受信し、受信したデータに基づいて、自機の通信機能を設定できるようにしてもよい。
【０１７４】
また、インフラ側通信機は、携帯通信機１との通信が途絶した場合に、当該途絶の時刻を記録するようになっていてもよい。
【０１７５】
また、携帯通信機１から送信され、インフラ側通信機、施設管理サーバ３、忘れ物サーバ５、通知先通信機器において記録される忘れ物状態データには、携帯通信機１のロックレベル、携帯通信機１の電源残量を含めるようになっていてもよい。
【０１７６】
また、携帯通信機１の通信相手のインフラ側通信機が変化する場合、すなわち、携帯通信機１が移動している場合、盗難の可能性が高い。したがって、この場合には、携帯通信機１は、忘れ物サーバ５、通知先通信機器等に対して位置情報を送信するための通信機能以外の通信機能を無効化するようになっていてもよい。あるいは、窃盗者の携帯通信機１に対する操作内容を、インフラ側通信機を介して忘れ物サーバ５、通知先通信機器等に送信するようになっていてもよい。これにより、盗難者の特定が容易になる可能性が増加する。
【０１７７】
また、携帯通信機１の制御部１７は、図９のステップ２３０の判定結果が肯定的であってことに基づいて、すぐにステップ２９０を実行するようになっていてもよい。
【０１７８】
また、上記の実施形態において、各制御部がプログラムを実行することで実現している各機能は、それらの機能を有するハードウェア（例えば回路構成をプログラムすることが可能なＦＰＧＡ）を用いて実現するようになっていてもよい。
【０１７９】
また、上記実施形態においては、ナビゲーション装置は車載タイプのものであるが、ナビゲーション装置は、船舶や飛行機に搭載されるものであってもよいし、人が持ち運びできるタイプのものであってもよい。例えば、ナビゲーション装置の機能を有する携帯電話機も、本発明のナビゲーション装置に該当する。
【図面の簡単な説明】
【０１８０】
【図１】本発明の実施形態に係る忘れ物通知システムの全体構成を示す概略図である。
【図２】携帯通信機１の構成を示すブロック図である。
【図３】インフラ側通信機２の構成を示すブロック図である。
【図４】施設管理サーバ３の構成を示すブロック図である。
【図５】忘れ物サーバ５の構成を示すブロック図である。
【図６】車両用ナビゲーション装置８の構成、および、車両用ナビゲーション装置８の周囲に搭載される車載装置を示すブロック図である
【図７】パーソナルコンピュータ１０の構成を示すブロック図である。
【図８】忘れ物通知システムの作動を示すシーケンス図である。
【図９】携帯通信機１の制御部１７が実行するプログラム２００のフローチャートである。
【図１０】ロック解除の段階およびその段階に沿った表示部１３の表示内容の遷移を示す図である。
【図１１】忘れ物モードに入るときに携帯通信機１が表示する画面の図である。
【図１２】車両用ナビゲーション装置８の制御部８６が実行するプログラム４００のフローチャートである。
【図１３】携帯通信機１の存在エリアの表示画像の一例を示す図である。
【図１４】携帯通信機１の存在エリアの表示画像の一例を示す図である。
【図１５】ユーザ操作に合わせて段階的にロックレベルを下げる過程を示す図である。
【図１６】車両用ナビゲーション装置８の制御部８６が実行するプログラム５００のフローチャートである。
【符号の説明】
【０１８１】
１      携帯通信機
２      インフラ側通信機
３      施設管理サーバ
５      忘れ物サーバ
７      車両内
８      車両用ナビゲーション装置
９      自宅内
１０    パーソナルコンピュータ
【図１】
0005157463.tif 000002
【図２】
0005157463.tif 000003
【図３】
0005157463.tif 000004
【図４】
0005157463.tif 000005
【図５】
0005157463.tif 000006
【図６】
0005157463.tif 000007
【図７】
0005157463.tif 000008
【図８】
0005157463.tif 000009
【図９】
0005157463.tif 000010
【図１０】
0005157463.tif 000011
【図１１】
0005157463.tif 000012
【図１２】
0005157463.tif 000013
【図１３】
0005157463.tif 000014
【図１４】
0005157463.tif 000015
【図１５】
0005157463.tif 000016
【図１６】
0005157463.tif 000017